(57)【要約】  複数照明撮影において、各照明装置の照射エリアを調節する手間を軽減することが可能な撮影装置及びその制御方法を提供する。  撮影システム（１０）は、デジタルカメラ（１１）と、照明装置（Ａ〜Ｃ）とから構成される。デジタルカメラ（１１）は、撮影光学系（１６）と、シャッタ（１８）と、シャッタ駆動機構（１９）と、撮像素子（２０）と、照明制御部（２８）と、無線Ｉ／Ｆ（２９）とを備える。シャッタ（１８）はフォーカルプレーンシャッタである。複数照明制御モード下で本撮影を行う場合、シャッタ駆動機構（１９）がシャッタ（１８）を駆動させることにより、部分露光領域が撮像素子（２０）の撮像エリアの下方に向けて経時的に遷移する遷移期間を発生させる。照明制御部（２８）は、遷移期間内において、照明装置（Ａ〜Ｃ）の各発光タイミングを異なるタイミングで制御する。
2017130963.tif 000002
【特許請求の範囲】
【請求項１】
被写体を撮像する撮像エリアを有する撮像素子と、
前記撮像エリア内において、部分的に露光される部分露光領域が前記撮像エリアの一端から他端に向かって一方向に経時的に遷移する遷移期間を発生させるシャッタと、
被写体に対して照明光を照射する、少なくとも第１および第２の照明装置がある場合において、第１および第２の照明装置のそれぞれの第１および第２の発光タイミングを制御する照明制御部であって、前記遷移期間内において、第１および第２の各発光タイミングを異なるタイミングに制御する照明制御部とを備えた撮影装置。
【請求項２】
前記シャッタは、前記撮像素子とは別に設けられるフォーカルプレーンシャッタである請求項１記載の撮影装置。
【請求項３】
前記シャッタは、前記撮像エリアの一端から他端に向かって走行するシャッタ先幕及びシャッタ後幕を備え、
前記遷移期間は、前記シャッタ先幕が前記撮像エリアの全面を遮光する全閉位置から前記撮像エリアを全て露呈する全開位置まで走行する第１走行期間と、前記シャッタ後幕が前記撮像エリアを全て露呈する全開位置から前記撮像エリアの全面を遮光する全閉位置まで走行する第２走行期間であり、
前記照明制御部は、前記第１または第２走行期間内において、前記第１および第２の各発光タイミングを異なるタイミングに制御する請求項２記載の撮影装置。
【請求項４】
前記シャッタは、前記撮像素子がＣＭＯＳイメージセンサである場合において、前記撮像素子を制御して、ローリングシャッタ方式によって画像信号を読み出す画像読み出し部である請求項１記載の撮影装置。
【請求項５】
前記シャッタは、前記撮像エリアの一端のラインから他端のラインに向けて、順次電荷蓄積と読み出しを行わせる制御を行い、
前記遷移期間は、前記撮像エリアの一端のラインが電荷蓄積及び読み出しを開始してから他端のラインが電荷蓄積及び読み出しを開始するまでの読み出し開始期間と、前記撮像エリアの一端のラインが電荷蓄積及び読み出しを終了してから他端のラインが電荷蓄積及び読み出しを終了するまでの読み出し終了期間であり、
前記照明制御部は、前記読み出し開始期間または前記読み出し終了期間内において、前記第１および第２の各発光タイミングを異なるタイミングに制御する請求項４記載の撮影装置。
【請求項６】
前記シャッタは、前記部分露光領域が遷移する遷移期間を変化させる機能を有している請求項１から５いずれか１項記載の撮影装置。
【請求項７】
前記第１および第２の照明装置は、撮影装置本体に内蔵されている内蔵型ストロボ装置、または撮影装置本体に外付けされる外付け型のストロボ装置、撮影装置とは独立した独立型の照明装置のうちの少なくとも１つを含む請求項１から６いずれか１項記載の撮影装置。
【請求項８】
本撮影の前に、前記第１および第２の照明装置のいずれか１つを発光させた状態で被写体を撮像するプレ撮影を前記撮像素子に実行させてプレ画像を取得するプレ画像取得部と、
前記プレ画像を表示する画像表示部と、
前記画像表示部に前記プレ画像を表示させた状態で、前記プレ画像内の任意の指定位置を指定する操作入力を受け付ける操作入力受付部と、
前記操作入力により指定された前記指定位置に基づき、前記第１及び第２の発光タイミングを決定する発光タイミング決定部とを備えた請求項１から７いずれか１項記載の撮影装置。
【請求項９】
前記操作入力受付部は、前記画像表示部と積層して設けられ、前記画像表示部に前記プレ画像を表示させた状態でタッチ操作を行うことで、前記指定位置を指定するタッチパネルである請求項８記載の撮影装置。
【請求項１０】
被写体を撮像する撮像エリアを有する撮像素子と、
前記撮像エリア内において、部分的に露光される部分露光領域が前記撮像エリアの一端から他端に向かって一方向に経時的に遷移する遷移期間を発生させるシャッタと、
被写体に対して照明光を照射する、少なくとも第１および第２の照明装置がある場合において、第１および第２の照明装置のそれぞれの第１および第２の発光タイミングを制御する照明制御部と、
を備える撮影装置の制御方法において、
前記シャッタにより前記遷移期間を発生させる遷移期間発生ステップと、
前記遷移期間内において、前記照明制御部により第１および第２の各発光タイミングを異なるタイミングに制御する照明制御ステップと、
前記照明制御ステップを実行中に、前記撮像素子により被写体を撮像する撮像ステップとを行う撮影装置の制御方法。
【発明の詳細な説明】
【技術分野】
【０００１】
本発明は、複数の照明装置を制御して撮影を行う撮影装置及びその制御方法に関するものである。
【背景技術】
【０００２】
デジタルカメラ等の撮影装置には、撮像素子の露光期間を制御するためのフォーカルプレーンシャッタを備えているものがある。フォーカルプレーンシャッタは、撮像素子の撮像エリアのレンズ側前方に配置され、例えば、撮像エリアの上下方向に移動自在な先幕および後幕で構成される。１回のシャッタ動作においては、まず、先幕が撮像エリアの全面を遮光する全閉位置から移動を開始して、先幕の移動位置に応じて撮像エリアの露光領域が徐々に大きくなる。やがて、先幕が撮像エリアの全面を露光領域とする全開位置まで移動する。先幕が全開位置に到達した後、後幕が動作を開始して、後幕の移動位置に応じて撮像エリアの露光領域が徐々に小さくなり、やがて全閉位置に到達する。【０００３】
このようなフォーカルプレーンシャッタを備えた撮影装置では、全開位置の時間を制御することにより露光期間が制御される。また、ストロボ装置の発光タイミングを全開位置に合わせて制御することにより、撮像エリアの全面に一様な光量が得られるようにしている（特許文献１、２）。
【先行技術文献】
【特許文献】
【０００４】
【特許文献１】特開２００９−５５４９１号公報
【特許文献２】特開平５−１９６９９５号公報
【発明の概要】
【発明が解決しようとする課題】
【０００５】
照明写真または記念写真を撮影するスタジオにおいては、照明装置として、撮影装置に取り付けられたストロボ装置の他に、撮影装置とは独立して設けられる複数の照明装置を使用して撮影が行われることが多い。このような複数の照明装置を使用した複数照明撮影における露光制御においても、フォーカルプレーンシャッタの全開位置と、各照明装置の発光タイミングが同期するように制御されるのが一般的である。【０００６】
ところで、このような複数照明撮影においては、例えば、ある照明装置については、撮影範囲内の上方部分のみを照射エリアとし、別の照明装置については、撮影範囲内の下方部分のみを照射エリアとするというように、各照明装置の照射エリアの調整が行われる場合がある。このように照明装置毎に照射エリアを調整することで、撮影者の意図に沿った適切なライティングが可能となる。こうした照射エリアの調整には、各照明装置の配置、照射角度、被写体との距離などの調節が必要になる。【０００７】
しかしながら、複数の照明装置の配置、照射角度、距離などを調節することは手間が掛かる。特に、照明装置の数が多い場合には特に顕著となるため、こうした問題を解決する方策が模索されていた。【０００８】
本発明は、上記事情に鑑み、複数照明撮影において、各照明装置の照射エリアを調節する手間を軽減することが可能な撮影装置及びその制御方法を提供することを目的とする。
【課題を解決するための手段】
【０００９】
上記目的を達成するために、本発明の撮影装置は、撮像素子と、シャッタと、照明制御部とを備える。撮像素子は、被写体を撮像する撮像エリアを有する。シャッタは、撮像エリア内において、部分的に露光される部分露光領域が撮像エリアの一端から他端に向かって一方向に経時的に遷移する遷移期間を発生させる。照明制御部は、被写体に対して照明光を照射する、少なくとも第１および第２の照明装置がある場合において、第１および第２の照明装置のそれぞれの第１および第２の発光タイミングを制御する照明制御部であって、遷移期間内において、第１および第２の各発光タイミングを異なるタイミングに制御する。【００１０】
シャッタは、撮像素子とは別に設けられるフォーカルプレーンシャッタであることが好ましい。シャッタは、撮像エリアの一端から他端に向かって走行するシャッタ先幕及びシャッタ後幕を備え、遷移期間は、シャッタ先幕が撮像エリアの全面を遮光する全閉位置から撮像エリアを全て露呈する全開位置まで走行する第１走行期間と、シャッタ後幕が撮像エリアを全て露呈する全開位置から撮像エリアの全面を遮光する全閉位置まで走行する第２走行期間であり、照明制御部は、第１または第２走行期間内において、第１および第２の各発光タイミングを異なるタイミングに制御することが好ましい。【００１１】
シャッタは、撮像素子がＣＭＯＳイメージセンサである場合において、撮像素子を制御して、ローリングシャッタ方式によって画像信号を読み出す画像読み出し部であることが好ましい。シャッタは、撮像エリアの一端のラインから他端のラインに向けて、順次電荷蓄積と読み出しを行わせる制御を行い、遷移期間は、撮像エリアの一端のラインが電荷蓄積及び読み出しを開始してから他端のラインが電荷蓄積及び読み出しを開始するまでの読み出し開始期間と、撮像エリアの一端のラインが電荷蓄積及び読み出しを終了してから他端のラインが電荷蓄積及び読み出しを終了するまでの読み出し終了期間であり、照明制御部は、読み出し開始期間または読み出し終了期間内において、第１および第２の各発光タイミングを異なるタイミングに制御することが好ましい。【００１２】
シャッタは、部分露光領域が遷移する遷移期間を変化させる機能を有していることが好ましい。【００１３】
第１および第２の照明装置は、撮影装置本体に内蔵されている内蔵型ストロボ装置、または撮影装置本体に外付けされる外付け型のストロボ装置、撮影装置とは独立した独立型の照明装置のうちの少なくとも１つを含むことが好ましい。【００１４】
プレ画像取得部と、画像表示部と、操作入力受付部と、発光タイミング決定部とを備えることが好ましい。プレ画像取得部は、本撮影の前に、第１および第２の照明装置のいずれか１つを発光させた状態で被写体を撮像するプレ撮影を撮像素子に実行させてプレ画像を取得する。画像表示部は、プレ画像を表示する。操作入力受付部は、画像表示部にプレ画像を表示させた状態で、プレ画像内の任意の指定位置を指定する操作入力を受け付ける。発光タイミング決定部は、操作入力により指定された指定位置に基づき、第１及び第２の発光タイミングを決定する。【００１５】
操作入力受付部は、画像表示部と積層して設けられ、画像表示部にプレ画像を表示させた状態でタッチ操作を行うことで、指定位置を指定するタッチパネルであることが好ましい。【００１６】
本発明の撮影装置の制御方法は、シャッタにより遷移期間を発生させる遷移期間発生ステップと、遷移期間内において、照明制御部により第１および第２の各発光タイミングを異なるタイミングに制御する照明制御ステップと、照明制御ステップを実行中に、撮像素子により被写体を撮像する撮像ステップとを行う。
【発明の効果】
【００１７】
本発明によれば、複数照明撮影において、各照明装置の照射エリアを調節する作業を軽減することが可能な撮影装置及びその制御方法を提供することができる。
【図面の簡単な説明】
【００１８】
【図１】撮影装置及び複数の照明装置Ａ〜Ｃから構成される撮影システムの斜視図である。
【図２】デジタルカメラの構成を示すブロック図である。
【図３】フォーカルプレーンシャッタの動作を説明する説明図である。
【図４】倒立逆像撮影から撮影画像データを生成することを説明する説明図である。
【図５】照明装置Ａ発光状態におけるプレ画像を表示させた状態で、タッチ操作を行う際の入力画面の例を示す説明図である。
【図６】照明装置Ｂ発光状態におけるプレ画像を表示させた状態で、タッチ操作を行う際の入力画面の例を示す説明図である。
【図７】照明装置Ｃ発光状態におけるプレ画像を表示させた状態で、タッチ操作を行う際の入力画面の例を示す説明図である。
【図８】タッチ操作により指定された指定位置に基づき、発光タイミングを決定し、発光制御情報を設定することを示す説明図である。
【図９】照明装置Ａ〜Ｃの発光タイミングの一例を示すタイミングチャートである。
【図１０】第１実施形態において、照明装置Ａ発光期間の開始時と終了時の部分露光領域の一例を示す説明図である。
【図１１】第１実施形態において、照明装置Ｂ発光期間の開始時と終了時の部分露光領域の一例を示す説明図である。
【図１２】第１実施形態において、照明装置Ｃ発光期間の開始時と終了時の部分露光領域の一例を示す説明図である。
【図１３】第１実施形態の撮影装置で撮影された撮影画像を示す画像図である。
【図１４】プレ画像を取得し、発光タイミングを決定する際の処理手順を示すフローチャートである。
【図１５】本撮影における照明装置Ａ〜Ｃの発光制御の処理手順を示すフローチャートである。
【図１６】第２実施形態において、シャッタ速度を可変させた場合の照明装置Ａ〜Ｃの発光タイミングを示すタイミングチャートである。
【図１７】第２実施形態において、照明装置Ａ発光期間の開始時と終了時の部分露光領域を示す説明図である。
【図１８】第２実施形態において、照明装置Ｂ発光期間の開始時と終了時の部分露光領域を示す説明図である。
【図１９】第２実施形態において、照明装置Ｃ発光期間の開始時と終了時の部分露光領域を示す説明図である。
【図２０】第２実施形態の撮影装置で撮影された撮影画像を示す画像図である。
【図２１】ローリングシャッタ方式の画像読み出し部を備えた変形例の構成を示すブロック図である。
【図２２】図２１に示すデジタルカメラの構成で撮影を行った場合の画像読み出し部の動作を説明するタイミングチャートである。
【発明を実施するための形態】
【００１９】
［第１実施形態］
図１に示す撮影システム１０は、照明写真または記念写真を撮影するスタジオにおいて、撮影を行うためのものである。この撮影システム１０は、撮影装置であるデジタルカメラ１１と、複数の照明装置Ａ〜Ｃとで構成されている。なお、照明装置Ａ〜Ｃは、特許請求の範囲の少なくとも２つの第１及び第２照明装置に相当する。本例では、第１〜第３の３つの照明装置だが、３つ以上でもよい。
【００２０】
デジタルカメラ１１は、内蔵型ストロボ装置である照明装置Ａがカメラ本体１２に内蔵されている。一方、照明装置Ｂ，Ｃは、デジタルカメラ１１とは独立した独立型の照明装置であり、本実施形態では、独立型のストロボ装置である。デジタルカメラ１１及び照明装置Ｂ，Ｃは、スタンド１３に支持された状態で設置されている。
【００２１】
また、カメラ本体１２には、電源をオン／オフするための電源ボタン１２Ａと、動作モードを切り替えるためのモード切替ボタン１２Ｂと、シャッタボタン１２Ｃとが設けられている。シャッタボタン１２Ｃは、２段ストローク式のスイッチ（図示せず）を有し、シャッタ操作に用いられる。デジタルカメラ１１は、シャッタボタン１２Ｃが押下（半押し）されると、オートフォーカス動作などの撮影準備動作を行う。この状態からさらにシャッタボタン１２Ｃが押下（全押し）されると、デジタルカメラ１１は撮影動作を行う。
【００２２】
本実施形態では、デジタルカメラ１１の撮影範囲内に３つの被写体Ｈ１〜Ｈ３を配置して撮影を行う。照明装置Ａ〜Ｃは、被写体Ｈ１〜Ｈ３に対して照明光を照射する。例えば、被写体Ｈ１、Ｈ２は人物であり、被写体Ｈ３は、人工物である。また、被写体Ｈ２は、被写体Ｈ１よりも身長が低い。また、被写体Ｈ３は、被写体Ｈ２よりも高い位置に配された直方体状の看板Ｈ３ａと、この看板の下方に配された柱Ｈ３ｂと、柱Ｈ３ｂの下方に配された台座Ｈ３ｃとを有する。
【００２３】
デジタルカメラ１１は、レンズ鏡筒１４、背面表示部（画像表示部）１５とを備える。レンズ鏡筒１４は、カメラ本体１２の前面に設けられており、撮影光学系１６（図２参照）を保持している。
【００２４】
背面表示部１５は、カメラ本体１２の背面に設けられており、各種撮影モードで取得された画像、及び各種設定を行うためのメニュー画面を表示する。この背面表示部１５の表面に積層して、タッチパネル１７が設けられており、タッチパネル１７からの入力指示は、主制御部２２（図２参照）に送信される。
【００２５】
図２に示すように、撮影光学系１６は、複数のレンズ１６ａ、絞り１６ｂなどを備える。撮影光学系１６の背後には、撮影光学系１６の光軸ＬＡに沿って、シャッタ１８及び撮像素子２０の順に配置されている。シャッタ１８は、シャッタ駆動機構１９によって駆動制御される。
【００２６】
撮像素子２０は、カメラ本体１２の内部に設けられ、主制御部２２により駆動制御される。撮像素子２０は、例えば、全画素同時読み出し方式のＣＣＤ（Charge-Coupled Device）型イメージセンサであり、２次元マトリクス状に配列された複数の画素（図示せず）により構成された撮像エリア２０ａ（図３（Ａ）〜（Ｅ）参照）を有している。各画素は、光電変換素子を含んでおり、撮影光学系１６により撮像エリア２０ａに結像された被写体像を光電変換して撮像信号を生成する。
【００２７】
図３（Ａ）に示すように、シャッタ１８は、撮像素子２０とは別に設けられ、撮像素子２０の直前に位置するフォーカルプレーンシャッタである。シャッタ１８は、シャッタ先幕１８ａ及びシャッタ後幕１８ｂを備え、シャッタ先幕１８ａおよびシャッタ後幕１８ｂの両幕が撮像エリア２０ａの上から下に走行するタイプである。シャッタ駆動機構１９によってシャッタ１８が駆動される場合、先ず、図３（Ａ）に示すように、シャッタチャージによって、シャッタ先幕１８ａおよびシャッタ後幕１８ｂが撮像エリア２０ａの上部に保持される。このとき、シャッタ先幕１８ａが撮像エリア２０ａの全面を遮光する走行前位置Ｓ１（全閉位置）となっている。
【００２８】
シャッタチャージ後、図３（Ｂ）に示すように、シャッタ先幕１８ａが走行前位置Ｓ１から下方に向けて走行を開始することにより撮像素子２０の撮像エリア２０ａへの露光が開始する。シャッタ先幕１８ａが下方に向けて走行する間、シャッタ先幕１８ａの走行位置に応じて撮像エリア２０ａの露光領域が徐々に大きくなる。このシャッタ先幕１８ａが走行する第１走行期間は、撮像エリア２０ａ内において部分的に露光される部分露光領域が下方に向かって経時的に遷移する遷移期間であり、シャッタ１８が駆動されることにより、遷移期間が発生する。
【００２９】
予め設定されたシャッタ速度に基づき、シャッタ全開期間が存在する場合、図３（Ｃ）に示すように、シャッタ後幕１８ｂが停止した状態を保持しながら、撮像素子２０の撮像エリア２０ａが全て露呈する走行後位置Ｓ２（全開位置）までシャッタ先幕１８ａが走行する。シャッタ全開期間経過後、図３（Ｄ）に示すように、シャッタ後幕１８ｂが走行前位置Ｓ１（全開位置）から下に向けて走行を開始する。
【００３０】
なお、シャッタ全開期間が存在しない場合、シャッタ先幕１８ａが走行後位置Ｓ２（全開位置）に到達する前のタイミングで、シャッタ後幕１８ｂが下に向けて走行を開始する。シャッタ後幕１８ｂが下方に向けて走行する間、シャッタ後幕１８ｂの走行位置に応じて撮像エリア２０ａの露光領域が徐々に小さくなる。このシャッタ後幕１８ｂが走行する第２走行期間は、撮像エリア２０ａ内において部分的に露光される部分露光領域が下方に向かって経時的に遷移する遷移期間であり、シャッタ１８が駆動されることにより、遷移期間が発生する。
【００３１】
図３（Ｅ）に示すように、撮像素子２０の撮像エリア２０ａの全面を遮光する走行後位置Ｓ２（全閉位置）までシャッタ後幕１８ｂが走行すると、撮像素子２０の撮像エリア２０ａへの露光が終了する。
【００３２】
このようなフォーカルプレーンシャッタの場合、部分露光領域は、図３において撮像エリア２０ａの一端である上端から他端である下端に向かって一方向に遷移する。例えば、図３（Ｂ）のように、シャッタ先幕１８ａが走行する間、部分露光領域は、撮像エリア２０ａの上方部分に発生する。この間に撮像エリア２０ａに照明光が入射すると、撮像エリア２０ａの上方部分のみが露光されることになる。そして、図３（Ｃ）に示す全開位置を経て、図３（Ｄ）のように、シャッタ後幕１８ｂが走行する間、部分露光領域は、撮像エリア２０ａの下方部分に発生する。この間に撮像エリア２０ａに照明光が入射すると、撮像エリア２０ａの下方部分のみが露光されることになる。このように部分露光領域は、撮像エリア２０ａにおいて一端から他端に向かって遷移するため、部分露光領域の遷移期間を利用することで、撮像エリア２０ａにおける露光領域を選択的に変更することが可能となる。
【００３３】
また、本実施形態において、シャッタ１８が全開位置にある時間に基づいてシャッタ速度が規定される。すなわち、全開位置が長いほど、シャッタ速度は遅く、全開位置が短いほどシャッタ速度は速い。すなわち、シャッタ速度を高速にする場合、シャッタ先幕１８ａの走行開始後に、シャッタ後幕１８ｂが走行開始する時間差をより短くする制御をシャッタ駆動機構１９が行う。また、シャッタ先幕１８ａ及びシャッタ後幕１８ｂが走行する走行速度は、シャッタ速度に関係無く、常に一定速度である。
【００３４】
本実施形態では、図４（Ａ）に示すように、撮影光学系１６によって撮像素子２０の撮像エリア２０ａに結像される像は、倒立逆像２１Ａである。すなわち、撮像素子２０は、被写体の上下左右が反転された倒立逆像２１Ａを撮影する。このため、後述するデジタル信号処理部２５は、 撮像素子２０で撮影された倒立逆像の上下左右を反転させて撮影画像２１Ｂを生成する上下左右反転処理を施す。これにより、撮影画像２１Ｂの被写体と実際の被写体とで上下左右が一致するようになる。
【００３５】
図２において、撮像素子２０は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して撮像素子２０から出力する。
【００３６】
撮像素子２０及び主制御部２２は、バス２３に接続されている。この他、バス２３には、メモリ制御部２４、デジタル信号処理部２５、メディア制御部２６、背面表示制御部２７、照明制御部２８、無線Ｉ／Ｆ（InterFace）２９が接続されている。
【００３７】
メモリ制御部２４には、ＳＤＲＡＭ（Synchronous Dynamic Random Access Memory）等の一時記憶用のメモリ３０が接続されている。メモリ制御部２４は、撮像素子２０から出力された画像データをメモリ３０に入力して記憶させる。また、メモリ制御部２４は、メモリ３０に記憶された画像データを、デジタル信号処理部２５に出力する。また、メモリ３０は、後述する発光制御情報が記憶される。
【００３８】
デジタル信号処理部２５は、メモリ３０から入力された画像データに対して、上下左右反転処理、マトリクス演算、デモザイク処理、γ補正、輝度・色差変換、リサイズ処理などの公知の画像処理を施し、撮影画像を生成する。
【００３９】
メディア制御部２６は、記録メディア３１への画像ファイルの記録及び読み出しを制御する。記録メディア３１は、例えば、フラッシュメモリを内蔵したメモリカードである。メディア制御部２６は、デジタル信号処理部２５によって圧縮された画像データを記録メディア３１に記録する。
【００４０】
背面表示制御部２７は、前述の背面表示部１５への画像表示を制御する。具体的には、背面表示制御部２７は、デジタル信号処理部２５により生成された画像データに基づいて、例えば、ＮＴＳＣ規格等に準拠した映像信号を生成して背面表示部１５に出力する。
【００４１】
照明制御部２８は、照明装置Ａ〜Ｃの発光タイミングを制御する発光制御信号を送信する。無線Ｉ／Ｆ２９は、照明制御部２８が送信した照明装置Ｂ，Ｃに対する発光制御信号を無線で送信する。照明装置Ａは、照明制御部２８に接続され、照明装置Ａに対する発光制御信号を直接受信する。照明装置Ｂ，Ｃは、無線Ｉ／Ｆ２９を介して照明制御部２８から送信された発光制御信号を受信する。
【００４２】
デジタルカメラ１１では、複数の照明装置を使用して撮影を行う場合、複数照明制御モードが選択される。この複数照明制御モード下で、デジタルカメラ１１は、複数の照明装置に対する発光制御情報の設定を行い、設定した発光制御情報に基づいて照明装置の発光を制御し、本撮影を行う。
【００４３】
主制御部２２は、プレ画像取得部３２、発光タイミング決定部３３、及び発光制御情報設定部３４を有する。プレ画像取得部３２は、複数照明制御モードが選択された場合、本撮影の前に、撮像素子２０、及び照明制御部２８を制御し、照明装置Ａ〜Ｃのいずれか１つを発光させた状態で被写体を撮像するプレ撮影を行う。
【００４４】
なお、プレ画像取得部３２が、プレ画像を取得する場合、例えば、シャッタ１８におけるシャッタ全開期間中に各照明装置Ａ〜Ｃを個別に発光させた状態で撮像素子２０に被写体を撮像させる。これにより、各照明装置Ａ〜Ｃにおける現在の照射範囲でプレ撮影を行うことができる。
【００４５】
プレ画像取得部３２は、デジタル信号処理部２５を制御し、照明装置Ａ〜Ｃ毎にプレ撮影された画像データに対して画像処理を施し、プレ画像３５Ａ〜３５Ｃ（図５〜図７参照）を生成する。このようにして取得された各プレ画像３５Ａ〜３５Ｃは、メモリ３０に一時記憶される。プレ画像３５Ａ〜３５Ｃは、撮像エリア２０ａにおける、各照明装置Ａ〜Ｃの照明位置を指定するための操作画像として機能する。
【００４６】
図５〜図７の例に示すように、タッチパネル１７は、背面表示部１５にプレ画像３５Ａ〜３５Ｃを表示させた状態で、プレ画像３５Ａ〜３５Ｃ内の任意の指定位置を指定する操作入力を受け付ける操作入力受付部として機能する。操作入力の受け付けは、例えば、各プレ画像３５Ａ〜３５Ｃを選択的に表示して、プレ画像３５Ａ〜３５Ｃ毎に行う。これにより、各照明装置Ａ〜Ｃの照射エリアを個別に指定することが可能となる。
【００４７】
具体的には、まず、主制御部２２は、背面表示部１５にプレ画像３５Ａ〜３５Ｃを選択的に表示し、プレ画像３５Ａ〜３５Ｃ内の任意の指定位置を照明装置Ａ〜Ｃの照射エリアとして指定する操作入力を促すメッセージを表示する。この状態でタッチパネル１７にタッチ操作が行われると、タッチパネル１７は、任意の指定位置を指定する操作入力を受け付ける。
【００４８】
図５に示すプレ画像３５Ａにおいては、画面の中央に位置する被写体Ｈ１の上下方向の全体が、照明装置Ａによって照明光が照射される照射エリアとなっており、被写体Ｈ１の左右のハッチングを掛けた部分については、照明光が当たっていない。例えば、被写体Ｈ１の照射エリアを、上下方向の全体ではなく、被写体Ｈ１の顔の部分に絞り込みたい場合には、プレ画像３５Ａにおいて被写体Ｈ１の顔部分を、指定位置ＰＡとして指定する。これにより、指定位置ＰＡを中心とするその周辺エリアが、照明装置Ａの照射エリアとして指定され、被写体Ｈ１の顔部分に照射エリアを絞り込む設定がなされる。
【００４９】
指定操作は、プレ画像３５Ａが背面表示部１５に表示されている状態でタッチパネル１７に対するタッチ操作により行われる。また、プレ画像３５Ａには、プレ画像３５Ａに対応する照明装置Ａの照射エリアを指定してください、といった操作入力を促すメッセージが表示される。
【００５０】
図６に示すプレ画像３５Ｂにおいては、画面の右側に位置する被写体Ｈ２の上下方向の全体が照明装置Ｂによって照明光が照射される照射エリアとなっており、被写体Ｈ２よりも左側よりのハッチングを掛けた部分については、照明光が当たっていない。例えば、被写体Ｈ２の照射エリアについても、被写体Ｈ１と同様に、上下方向の全体ではなく、被写体Ｈ２の顔部分に絞り込みたい場合には、プレ画像３５Ｂにおいて被写体Ｈ２の顔部分を、指定位置ＰＢとして指定する。これにより、指定位置ＰＢを中心とするその周辺エリアが、照明装置Ｂの照射エリアとして指定され、被写体Ｈ２の顔部分に照射エリアを絞り込む設定がなされる。
【００５１】
図７に示すプレ画像３５Ｃにおいては、画面の左側に位置する被写体Ｈ３の上下方向の全体が照明装置Ｃによって照明光が照射される照射エリアとなっている。被写体Ｈ３よりも右側よりのハッチングを掛けた部分については、照明光が当たっていない。例えば、被写体Ｈ３の照射エリアについても、看板Ｈ３ａ及び柱Ｈ３ｂを含む上下方向の全体ではなく、被写体Ｈ３の看板Ｈ３ａの部分に絞り込みたい場合には、プレ画像３５Ｃにおいて被写体Ｈ３の看板Ｈ３ａの部分を、指定位置ＰＣとして指定する。これにより、指定位置ＰＣを中心とするその周辺エリアが、照明装置Ｃの照射エリアとして指定され、被写体Ｈ３の看板Ｈ３ａの部分に照射エリアを絞り込む設定がなされる。
【００５２】
指定位置ＰＢ、ＰＣの指定操作については、プレ画像３５Ａと同様に、プレ画像３５Ｂ，３５Ｃを背面表示部１５に表示させた状態でタッチパネル１７に対するタッチ操作により行われる。
【００５３】
図８に示すように、以上のような操作により指定された指定位置ＰＡ〜ＰＣが発光タイミング決定部３３に入力される。発光タイミング決定部３３は、指定位置ＰＡ〜ＰＣに基づき、照明装置Ａ〜Ｃの発光タイミングを決定する。
【００５４】
図９に示すタイミングチャートは、図５〜図７の例で指定された指定位置ＰＡ〜ＰＣに基づき発光タイミングＴ１〜Ｔ３が決定された一例を示している。この図９に示す例では、発光タイミングＴ１〜Ｔ３は、指定位置ＰＡ〜ＰＣとシャッタ１８の走行位置に合わせて決定されている。発光タイミングＴ１〜Ｔ３は、シャッタ先幕１８ａの走行開始時間Ｔ０からの経過時間である。また、図９には、シャッタ１８の走行位置と対照できるように撮像エリア２０ａが図示されている。撮像エリア２０ａには、被写体の上下左右が反転された倒立逆像が結像されるため、図９では、撮像エリア２０ａ内における指定位置ＰＡ〜ＰＣの位置も上下左右が反転している。なお、上述したように、シャッタ先幕１８ａが走行する第１走行期間ＴＳ１と、シャッタ後幕１８ｂが走行する第２走行期間ＴＳ２は、撮像エリア２０ａ内において露光される部分露光領域が経時的に遷移する遷移期間である。第１走行期間ＴＳ１と第２走行期間ＴＳ２は、シャッタ全開期間ＴＡを間に挟んでいるが、全体としてみれば、部分露光領域は、撮像エリア２０ａの一端から他端に遷移する。
【００５５】
発光タイミング決定部３３は、シャッタ後幕１８ｂの第２走行期間ＴＳ２内において、発光タイミングＴ１〜Ｔ３を異なるタイミングに決定する。さらに本実施形態では、指定位置ＰＡ〜ＰＣを含む周辺領域が部分露光領域となるタイミングで各照明装置Ａ〜Ｃが発光されるように、発光タイミングＴ１〜Ｔ３が決定されている。
【００５６】
より具体的には、発光タイミング決定部３３は、シャッタ全開期間ＴＡの後、シャッタ後幕１８ｂが走行する第２走行期間ＴＳ２において、各発光タイミングＴ１〜Ｔ３を異なるタイミングに決定している。第２走行期間ＴＳ２は、部分露光領域が遷移する遷移期間であるため、第２走行期間ＴＳ２において発光タイミングＴ１〜Ｔ３を異なるタイミングにする結果、撮像エリア２０ａ内において各照明装置Ａ〜Ｃの照射エリアを変化させることができる。なお、本実施形態では、各照明装置Ａ〜Ｃの発光期間は全て同じ発光期間ＴＥとなっている。
【００５７】
図９に示す例では、指定位置ＰＢ、ＰＡ、ＰＣのうち、撮像エリア２０ａ内で指定位置ＰＢが最も上方に位置し、次に指定位置ＰＡが位置し、指定位置ＰＣが最も下方に位置している。そして、第２走行期間ＴＳ２において、シャッタ後幕１８ｂの走行位置は、下方に向けて経時的に変化する。そして、撮像エリア２０ａにおいて、上方から下降するシャッタ後幕１８ｂが被写体Ｈ２の顔部分を残して、胴体部分を遮光するタイミングを、照明装置Ｂの発光タイミングＴ１とすれば、胴体部分は遮光されているため、被写体Ｈ２の顔部分のみが照射エリアとなる。
【００５８】
シャッタ後幕１８ｂがさらに走行すると、部分露光領域は、さらに撮像エリア２０ａの下方に向かって遷移する。そして、撮像エリア２０ａにおいて、シャッタ後幕１８ｂが被写体Ｈ１の顔部分を残して、胴体部分を遮光するタイミングを、照明装置Ａの発光タイミングＴ２とすれば、被写体Ｈ１の顔部分のみが照射エリアとなる。
【００５９】
同様に、シャッタ後幕１８ｂがさらに走行して、部分露光領域が、さらに撮像エリア２０ａに向かって遷移する。そして、シャッタ後幕１８ｂが被写体Ｈ３の看板Ｈ３ａの部分を残して、柱Ｈ３ｂの部分を遮光するタイミングを、照明装置Ｃの発光タイミングＴ３とすれば、被写体Ｈ３の看板Ｈ３ａの分のみが照射エリアとなる。
【００６０】
このような部分露光を行うために、各指定位置ＰＢ、ＰＡ、ＰＣに合わせて、発光タイミングＴ１〜Ｔ３を決定している。
【００６１】
発光制御情報設定部３４は、発光タイミング決定部３３が決定した発光タイミングと、対応する照明装置Ａ〜Ｃの固有情報を発光制御情報としてメモリ３０に記憶する。指定位置ＰＡ〜Ｃが指定されたプレ画像３５Ａ〜３５Ｃは、それぞれ照明装置Ａ〜Ｃが発光された状態で撮影されているため、図９に示す例に合わせた場合、発光タイミングＴ１と照明装置Ｂの固有情報を、発光タイミングＴ２と照明装置Ａの固有情報を、発光タイミングＴ３と照明装置Ｃの固有情報をそれぞれ対応させて発光制御情報としてメモリ３０に記憶する。
【００６２】
なお、発光制御情報設定部３４がメモリ３０に記憶する前に、既に発光制御情報が記憶されている場合は、最新の発光制御情報に更新する。なお、照明装置Ａの固有情報は、例えば、デジタルカメラ１１の製造段階でメモリ３０に記憶されている。また、照明装置Ｂ，Ｃの固有情報については、例えば、無線Ｉ／Ｆ２９を介して照明装置Ｂ，Ｃと主制御部２２とが通信を行い、照明装置Ｂ，Ｃ内のメモリに記憶された固有情報を取得する。
【００６３】
複数照明制御モード下で、本撮影を行う場合、主制御部２２は、メモリ３０から発光制御情報を読み出して照明制御部２８を制御し、メモリ３０から読み出した発光タイミングＴ１〜Ｔ３と、対応する照明装置Ａ〜Ｃの固有情報に基づき、発光制御信号を送信させる。
【００６４】
図９に示すタイミングチャートに基づき、シャッタ１８の駆動制御及び照明装置Ａ〜Ｃの発光制御が行われた場合の部分露光領域の遷移の様子を、図１０〜図１２を参照しながら、より詳細に説明する。
【００６５】
図１０（Ａ）に示すように、照明装置Ａが発光を開始する発光タイミングＴ２の時点では、シャッタ後幕１８ｂは指定位置ＰＡよりも上方に位置しており、照明装置Ａが照明する被写体Ｈ１は、頭の付近から下の部分（撮像エリア２０ａでは上の部分）がシャッタ後幕１８ｂによって遮光される範囲（ハッチングが掛かっている部分）にある。そして、図１０（Ｂ）に示すように、照明装置Ａの発光が終了するタイミング（Ｔ２+ＴＥ）の時点では、シャッタ後幕１８ｂは、指定位置ＰＡよりも下方に位置しており、被写体Ｈ１は、全ての部分がシャッタ後幕１８ｂによって遮光される範囲内にある。すなわち、被写体Ｈ１は、照明装置Ａの発光期間では、頭の付近から上の部分（撮像エリア２０ａでは下の部分）が部分露光領域内にあり、撮像エリア２０ａに結像される。
【００６６】
図１１（Ａ）に示すように、照明装置Ｂが発光を開始する発光タイミングＴ１の時点では、シャッタ後幕１８ｂは指定位置ＰＢよりも上方に位置しており、照明装置Ｂが照明光を照射する被写体Ｈ２は、体の途中から下の部分（撮像エリア２０ａでは上の部分）がシャッタ後幕１８ｂによって遮光される範囲にある。そして、図１１（Ｂ）に示すように、照明装置Ｂの発光が終了するタイミング（Ｔ１+ＴＥ）の時点では、シャッタ後幕１８ｂは、指定位置ＰＢよりも下方に位置しており、被写体Ｈ２は、全ての部分がシャッタ後幕１８ｂによって遮光される範囲内にある。すなわち、被写体Ｈ２は、照明装置Ａの発光期間では、体の途中から上の部分（撮像エリア２０ａでは下の部分）が部分露光領域内にあり、撮像エリア２０ａに結像される。
【００６７】
図１２（Ａ）に示すように、照明装置Ｃが発光を開始する発光タイミングＴ３の時点では、シャッタ後幕１８ｂは指定位置ＰＣよりも上方に位置しており、照明装置Ｃが照明光を照射する被写体Ｈ３は、看板Ｈ３ａの下端付近から下の部分（撮像エリア２０ａでは上の部分）がシャッタ後幕１８ｂによって遮光される範囲にある。そして、図１３（Ｂ）に示すように、照明装置Ｃの発光が終了するタイミング（Ｔ３+ＴＥ）の時点では、シャッタ後幕１８ｂは、指定位置ＰＣよりも下方に位置しており、被写体Ｈ３は、全ての部分がシャッタ後幕１８ｂによって遮光される範囲内にある。すなわち、被写体Ｈ３は、照明装置Ｃの発光期間では、看板Ｈ３ａの下端付近から上の部分（撮像エリア２０ａでは下の部分）が部分露光領域内にあり、撮像エリア２０ａに結像される。
【００６８】
図９に示すタイミングチャートに基づくシャッタ１８の駆動制御、及び照明装置Ａ〜Ｃの発光制御の下で本撮影が行われ、上下左右反転処理を含む画像処理が施された場合、図１３に示すような撮影画像３６が生成される。この撮影画像３６では、照明装置Ａ〜Ｃの発光期間中、被写体Ｈ１〜Ｈ３が図１０〜図１２で示した部分露光領域内で撮像エリア２０ａに結像されるため、照射エリア（ハッチングが掛かっていない部分）が絞られている。すなわち、被写体Ｈ１では頭の下端付近から上の部分が、被写体Ｈ２では体の途中から上の部分が、被写体Ｈ３では看板Ｈ３ａの下端付近から上の部分がそれぞれ照明されている。
【００６９】
複数照明制御モード下で、プレ画像を取得し、発光タイミングを決定し、発光制御情報を設定する際の処理手順について図１４に示すフローチャートに沿って説明する。モード切替ボタン１２Ｂを操作して複数照明制御モードが選択された場合（Ｓ１１）、プレ画像取得部３２は、撮像素子２０、照明制御部２８を制御し、照明装置Ａ〜Ｃのいずれか１つを個別に発光させた状態で被写体を撮像するプレ撮影を行う（Ｓ１２）。
【００７０】
照明装置Ａ〜Ｃ毎にプレ撮影された画像データに対してデジタル信号処理部２５が画像処理を施し、プレ画像３５Ａ〜３５Ｃを生成する。このようにして取得された各プレ画像３５Ａ〜３５Ｃは、メモリ３０に一時記憶される（Ｓ１３）。そして、全ての照明装置Ａ〜Ｃに対するプレ画像３５Ａ〜３５Ｃが取得されるまでプレ撮影が繰り返される（Ｓ１４のＮ）。
【００７１】
プレ撮影が終了すると（Ｓ１４のＹ）、主制御部２２は、背面表示制御部２７を制御してプレ画像３５Ａ〜３５Ｃを背面表示部１５に順次表示させるとともに、プレ画像３５Ａ〜３５Ｃ内の指定位置を照明装置Ａ〜Ｃの照明位置として指定する操作入力を促すメッセージを表示させる（Ｓ１５）。
【００７２】
そして、全てのプレ画像３５Ａ〜３５Ｃの表示および指定位置の指定がなされるまで（Ｓ１６）、プレ画像３５Ａ〜３５Ｃと操作入力を促すメッセージを順次表示させる（Ｓ１７のＮ）。
【００７３】
プレ画像３５Ａ〜３５Ｃの表示および位置指定が終了すると（Ｓ１７のＹ）、発光タイミング決定部３３は、タッチ操作により指定された指定位置ＰＡ，ＰＢ，ＰＣに基づき、発光タイミングＴ１〜Ｔ３を決定する（Ｓ１８）。さらに、発光制御情報設定部３４が、決定された発光タイミングと、対応する照明装置Ａ〜Ｃの固有情報とからなる発光制御情報をメモリ３０に記憶して設定が終了する（Ｓ１９）。
【００７４】
発光制御情報を設定した後、デジタルカメラ１１で本撮影をする際の処理手順について図１５に示すフローチャートに沿って説明する。複数照明制御モード下で、例えば、シャッタボタン１２Ｃが半押しされるなどの撮影準備操作が行われた場合（Ｓ２１でＹ）、オートフォーカス動作などの撮影準備動作とともに、メモリ３０から発光制御情報を読み出す（Ｓ２２）。撮影準備操作が行われない場合（Ｓ２１でＮ）、メモリ３０から発光制御情報は読み出されない。
【００７５】
次に、シャッタボタン１２Ｃが全押しされるなど撮影操作が行われた場合（Ｓ２３でＹ）、シャッタ先幕１８ａの走行を開始して撮像素子２０への露光を開始する（Ｓ２４）。すなわち、シャッタ１８により部分露光領域が経時的に遷移する遷移期間を発生させる。発光制御情報に基づき、主制御部２２は照明制御部２８を制御して発光制御信号を送信し、照明装置Ａ〜Ｃを個別に発光制御する（Ｓ２５）。照明装置Ａ〜Ｃは、発光制御情報に基づき、シャッタ１８の部分露光領域が経時的に遷移する遷移期間内において、異なる発光タイミングで発光する。全ての照明装置Ａ〜Ｃが発光されるまで（Ｓ２６でＮ）、照明制御部による照明制御が行われる。そして、シャッタ後幕１８ｂが全閉位置まで走行して撮像素子２０への露光が終了すると（Ｓ２７）、撮像素子２０による被写体の撮像が終了する。また、撮影操作が行われない場合（Ｓ２３でＮ）には、ステップＳ２１に戻る。
【００７６】
以上のように、シャッタ１８の部分露光領域が経時的に遷移する遷移期間内において、異なる発光タイミングで照明装置Ａ〜Ｃを発光させて撮影を行っていることから、被写体Ｈ１〜Ｈ３に対して照明光を照射する照射エリアを絞った撮影画像を得ることができる。このため、照明装置Ａ〜Ｃの配置、照射角度、被写体からの距離などの調節をすることなく、デジタルカメラ１１の操作だけで、ある程度の照射エリアの調整を行うことが可能となり、調節の手間を軽減することができる。
【００７７】
また、本撮影の前に照明装置Ａ〜Ｃの１つを発光させた状態でプレ撮影を行ってプレ画像を取得し、プレ画像内の指定された指定位置に基づき、発光タイミングＴ１〜Ｔ３を決定しているため、撮影者の意図に沿った位置に照射エリアを調節しやすい。
【００７８】
［第２実施形態］
上記第１実施形態では、シャッタ先幕１８ａ及びシャッタ後幕１８ｂが走行する速度を、シャッタ速度に関係無く、常に一定速度で駆動する例を上げているが、これに限るものでは無く、以下で説明する第２実施形態では、シャッタ先幕１８ａ及びシャッタ後幕１８ｂが走行する走行速度、すなわち幕速を自動的に調整する幕速調整機構を備える。これにより、シャッタ１８は、撮像エリア２０ａ内において部分露光領域が遷移する遷移期間を変化させる機能を有する。この場合、シャッタ１８を駆動するシャッタ駆動機構１９に、幕速調整機構を設ければよい。この幕速調整機構としては、例えば、特開２００１−２３５７７９号公報に記載されているものと同様の構成である。また、幕速調整機構を設けたこと以外は、上記第１実施形態の構成と同様である。
【００７９】
本実施形態では、例えば、マニュアルでシャッタ速度の入力を行う場合、入力されたシャッタ速度に応じて、シャッタ先幕１８ａ及びシャッタ後幕１８ｂの走行速度を可変させる制御をシャッタ駆動機構１９に対して行う。
【００８０】
図１６は、上記第１実施形態で例示した走行速度よりも遅い速度でシャッタ先幕１８ａ及びシャッタ後幕１８ｂを駆動させた場合のタイミングチャートである。図１６に示す例では、シャッタ先幕１８ａの第１走行期間ＴＳ１、シャッタ後幕１８ｂの第２走行期間ＴＳ２が、ともに上記第１実施形態の図９で例示したものよりも長くなっている。すなわち、撮像エリア２０ａ内において部分露光領域が経時的に遷移する遷移期間が、図９で例示したものよりも長くなっている。部分露光領域は、撮像エリア２０ａの一端から他端に遷移する。なお、図１６に示す例では、上記第１実施形態と同じプレ画像３５Ａ〜３５Ｃを取得し、同じ指定位置ＰＡ〜ＰＣが指定されている。
【００８１】
発光タイミング決定部３３は、上記第１実施形態と同様に、第２走行期間ＴＳ２内において、発光タイミングＴ１〜Ｔ３を異なるタイミングに決定する。さらに、指定位置ＰＡ〜ＰＣを含む周辺領域が部分露光領域となるタイミングで各照明装置Ａ〜Ｃが発光されるように、発光タイミングＴ１〜Ｔ３が決定されている。
【００８２】
より具体的には、図１６に示す例では、シャッタ全開期間ＴＡが無く、照明制御部２８は、シャッタ後幕１８ｂが走行する第２走行期間ＴＳ２において、各発光タイミングＴ１〜Ｔ３を異なるタイミングに制御している。第２走行期間ＴＳ２は、部分露光領域が遷移する遷移期間であるため、第２走行期間ＴＳ２において発光タイミングＴ１〜Ｔ３を異なるタイミングにする結果、撮像エリア２０ａ内において各照明装置Ａ〜Ｃの照射エリアを変化させることができる。なお、各照明装置Ａ〜Ｃの発光期間は、上記第１実施形態と同様に、全て同じ発光期間ＴＥとなっている。
【００８３】
図１６に示すタイミングチャートに基づき、シャッタ１８の駆動制御及び照明装置Ａ〜Ｃの発光制御が行われた場合の部分露光領域の遷移の様子を、図１７〜図１９を参照しながら、より詳細に説明する。なお、図１７〜図１９に示す例では、各照明装置Ａ〜Ｃの発光期間ＴＥが同じで、且つシャッタ先幕１８ａ及びシャッタ後幕１８ｂの走行速度が遅くなった分、上記第１実施形態の図１０〜図１２で示す例よりも部分露光領域が遷移する範囲が小さくなっている。
【００８４】
図１７（Ａ）に示すように、照明装置Ａが発光を開始する発光タイミングＴ２の時点では、シャッタ後幕１８ｂは指定位置ＰＡよりも上方に位置しており、照明装置Ａが照明光を照射する被写体Ｈ１は、頭の下端から下の部分（撮像エリア２０ａでは上の部分）がシャッタ後幕１８ｂによって遮光される範囲（ハッチングが掛かっている部分）にある。そして、図１７（Ｂ）に示すように、照明装置Ａの発光が終了するタイミング（Ｔ２+ＴＥ）の時点では、シャッタ後幕１８ｂは、指定位置ＰＡよりも下方に位置しており、被写体Ｈ１は、全ての部分がシャッタ後幕１８ｂによって遮光される範囲内にある。すなわち、被写体Ｈ１は、照明装置Ａの発光期間では、頭の下端から上の部分（撮像エリア２０ａでは下の部分）が部分露光領域内にあり、撮像エリア２０ａに結像される。
【００８５】
図１８（Ａ）に示すように、照明装置Ｂが発光を開始する発光タイミングＴ１の時点では、シャッタ後幕１８ｂは指定位置ＰＢよりも上方に位置しており、照明装置Ｂが照明光を照射する被写体Ｈ２は、頭の付近から下の部分（撮像エリア２０ａでは上の部分）がシャッタ後幕１８ｂによって遮光される範囲にある。そして、図１８（Ｂ）に示すように、照明装置Ｂの発光が終了するタイミング（Ｔ１+ＴＥ）の時点では、シャッタ後幕１８ｂは、指定位置ＰＢよりも下方に位置しており、被写体Ｈ２は、全ての部分がシャッタ後幕１８ｂによって遮光される範囲内にある。すなわち、被写体Ｈ２は、照明装置Ａの発光期間では、頭の付近から上の部分（撮像エリア２０ａでは下の部分）が部分露光領域内にあり、撮像エリア２０ａに結像される。
【００８６】
図１９（Ａ）に示すように、照明装置Ｃが発光を開始する発光タイミングＴ３の時点では、シャッタ後幕１８ｂは指定位置ＰＣよりも上方に位置しており、照明装置Ｃが照明光を照射する被写体Ｈ３は、看板Ｈ３ａの下端から下の部分（撮像エリア２０ａでは上の部分）がシャッタ後幕１８ｂによって遮光される範囲にある。そして、図１９（Ｂ）に示すように、照明装置Ｃの発光が終了するタイミング（Ｔ３+ＴＥ）の時点では、シャッタ後幕１８ｂは、指定位置ＰＣよりも下方に位置しており、被写体Ｈ３は、全ての部分がシャッタ後幕１８ｂによって遮光される範囲内にある。すなわち、被写体Ｈ３は、照明装置Ｃの発光期間では、看板Ｈ３ａの下端から上の部分（撮像エリア２０ａでは下の部分）が部分露光領域内にあり、撮像エリア２０ａに結像される。
【００８７】
図１６に示すタイミングチャートに基づくシャッタ１８の駆動制御、及び照明装置Ａ〜Ｃの発光制御の下で本撮影が行われ、上下左右反転処理を含む画像処理が施された場合、図２０に示すような撮影画像４１が生成される。この撮影画像４１では、照明装置Ａ〜Ｃの発光期間中、被写体Ｈ１〜Ｈ３が図１７〜図１９で示した部分露光領域内で撮像エリア２０ａに結像されるため、上記第１実施形態の撮影画像３６よりも照射エリア（ハッチングが掛かっていない部分）が絞られている。すなわち、被写体Ｈ１では頭の下端から上の部分が、被写体Ｈ２では頭の付近から上の部分が、被写体Ｈ３では看板Ｈ３ａの下端から上の部分がそれぞれ照明されている。
【００８８】
上述したように、シャッタ１８の幕速を遅くして、撮像エリア２０ａ内において部分的に露光される部分露光領域が経時的に遷移する遷移期間を変化させることで、照射エリアをさらに絞ることができるため、照明装置Ａ〜Ｃの調節の手間をさらに軽減させることができる。
【００８９】
なお、上記第１及び第２実施形態では、第２走行期間ＴＳ２内において、発光タイミングＴ１〜Ｔ３を異なるタイミングに制御しているが、これに限るものではなく、照明制御部２８は、第１走行期間ＴＳ１または第２走行期間ＴＳ２内において、発光タイミングＴ１〜Ｔ３を異なるタイミングに制御すればよく、例えば、第１走行期間ＴＳ１内において、発光タイミングＴ１〜Ｔ３を異なるタイミングに制御してもよい。あるいは、第１走行期間ＴＳ１内に発光タイミングＴ１を、第２走行期間ＴＳ２内に発光タイミングＴ２を決定し、これらのタイミングで照明装置Ａ〜Ｃを発光させてもよい。
【００９０】
上記第１及び第２実施形態では、撮像エリア２０ａ内において部分的に露光される部分露光領域が撮像エリア２０ａの一端から他端に向かって経時的に遷移する遷移期間を発生させるシャッタとして、撮像素子２０とは別に設けられるフォーカルプレーンシャッタを上げているが、本発明はこれに限るものではなく、図２１及び図２２に示す変形例では、撮像素子２０がＣＭＯＳ（Complementary Metal Oxide Semiconductor）型のイメージセンサである場合において、撮像素子２０を制御して、ローリングシャッタ方式によって画像信号を読み出す画像読み出し部４５をシャッタとして備える。なお、図２１においては、フォーカルプレーンシャッタであるシャッタ１８を設けず、画像読み出し部４５を設けている。また、上記第１実施形態と同じ部品については同一の符号を示して説明を省略し、第１実施形態との相違点を中心に説明する。
【００９１】
この変形例では、主制御部２２は、画像読み出し部４５を制御して撮像素子２０を駆動させる。ローリングシャッタ方式の画像読み出し部４５は、撮像エリア２０ａ内において、電荷蓄積と読み出しを各ライン毎に、各ライン内では画素毎に順次行わせる。
【００９２】
図２２に示すように、画像読み出し部４５は、撮像エリア２０ａの上端のラインＬＳから下端のラインＬＥに向けて、各ライン内では左端の画素から右端の画素に向けて順次電荷蓄積と読み出しを撮像素子２０に行わせるタイプである。なお、図２２のタイミングチャートにおいて、撮像エリア２０ａの各ラインの位置に合わせて図示されている長方形は、各ラインの読み出しに要する期間を示している。これらの電荷蓄積及び読み出しは、画像読み出し部４５を制御する主制御部２２からの指示に基づくタイミングで開始される。
【００９３】
撮像エリア２０ａの露光開始、すなわち、撮像エリア２０ａの上端のラインＬＳが電荷蓄積及び読み出しを開始してから、各ラインが電荷蓄積及び読み出しを順次開始し、全開位置、すなわち下端のラインＬＥが電荷蓄積及び読み出しを開始するまでの読み出し開始期間ＴＲ１は、撮像エリア２０ａ内において部分的に露光される部分露光領域が下方に向けて経時的に遷移する遷移期間である。
【００９４】
予め設定されたシャッタ速度に基づき、シャッタ全開期間ＴＡが存在する場合、上述した読み出し開始期間ＴＲ１の後、撮像エリア２０ａの全ラインが電荷蓄積及び読み出しを行う。シャッタ全開期間後、撮像エリア２０ａの上端のラインＬＳから電荷蓄積及び読み出しを順次終了する。なお、シャッタ全開期間ＴＡが存在しない場合、撮像エリア２０ａの下端のラインＬＥが電荷蓄積及び読み出しを開始する前のタイミングで、上端のラインＬＳが電荷蓄積及び読み出しを終了する。
【００９５】
撮像エリア２０ａの上端のラインＬＳが電荷蓄積及び読み出しを終了してから、各ラインが電荷蓄積及び読み出しを順次終了し、全閉位置、すなわち下端のラインＬＥが電荷蓄積及び読み出しを終了するまでの読み出し終了期間ＴＲ２は、撮像エリア２０ａ内において部分的に露光される部分露光領域が下方に向けて経時的に遷移する遷移期間である。図２２に示す例では、読み出し開始期間ＴＲ１と読み出し終了期間ＴＲ２は、シャッタ全開期間ＴＡを間に挟んでいるが、全体としてみれば、部分露光領域は、撮像エリア２０ａの一端から他端に遷移する。
【００９６】
発光タイミング決定部３３は、上記各実施形態と同様に、部分露光領域が経時的に遷移する遷移期間である読み出し終了期間ＴＲ２内において、照明装置Ａ〜Ｃの発光タイミングＴ１〜Ｔ３を異なるタイミングに決定する。そして、照明制御部２８は、発光タイミング決定部３３で決定された発光タイミングで照明装置Ａ〜Ｃを発光させ、本撮影を行うことにより、上記第１実施形態と同様の効果を得ることができる。なお、これに限らず、照明制御部２８は、読み出し開始期間ＴＲ１または読み出し終了期間ＴＲ２内において、発光タイミングＴ１〜Ｔ３を異なるタイミングに制御すればよく、例えば、読み出し開始期間ＴＲ１内において、発光タイミングＴ１〜Ｔ３を異なるタイミングに制御してもよい。あるいは、読み出し開始期間ＴＲ１内に発光タイミングＴ１を、読み出し終了期間ＴＲ２内に発光タイミングＴ２を決定し、これらのタイミングで照明装置Ａ〜Ｃを発光させてもよい。
【００９７】
また、画像読み出し部４５を備える変形例の構成を上記第２実施形態に適用してもよい。この変形例では、撮像エリア２０ａ内において、部分露光領域が遷移する遷移期間を変化させる機能を有する場合、フォーカルプレーンシャッタ等のようにメカ的にシャッタの幕速を変化させる必要はなく、各ライン毎に電荷蓄積及び読み出しを行うタイミングを変化させればよい。
【００９８】
また、上記第１及び第２実施形態で示したシャッタ１８の構成と、変形例で示したローリングシャッタ方式の画像読み出し部４５の構成を組み合わせてもよく、例えば、上端のラインＬＳの露光開始から全開位置までは、画像読み出し部４５が各ラインの電荷蓄積及び読み出しを行わせる読み出し開始期間ＴＲ１とし、上端のラインＬＳの露光終了から全閉位置までは、シャッタ後幕１８ｂが下方に向けて走行する第２走行期間ＴＳ２として動作させてもよい。
【００９９】
上記各実施形態では、３つの照明装置Ａ〜Ｃを制御するデジタルカメラを例に説明したが、少なくとも２つの照明装置を制御するデジタルカメラに適用することができる。また、デジタルカメラと組み合わせる少なくとも２つの照明装置としては、例えば、撮影装置本体に内蔵されている内蔵型ストロボ装置、または撮影装置本体に外付けされる外付け型のストロボ装置、撮影装置とは独立した独立型の照明装置のうちの少なくとも１つを含むことが好ましい。また、ストロボ装置に限定せず、他の照明装置でもよい。なお、照明装置の個数、種類は、被写体の数、大きさ、配置などに応じて適宜変更される。
【０１００】
また、上記各実施形態では、カメラ本体とレンズ鏡筒とを一体に設けたレンズ一体型のデジタルカメラを例に説明したが、カメラ本体とレンズ鏡筒とを別体とし、両者を着脱自在とするレンズ交換型デジタルカメラなどの他の撮影装置にも適用することができる。
【符号の説明】
【０１０１】
１０  撮影システム
１１  デジタルカメラ
１２  カメラ本体
１２Ａ  電源ボタン
１２Ｂ  モード切替ボタン
１２Ｃ  シャッタボタン
１３  スタンド
１４  レンズ鏡筒
１５  背面表示部（画像表示部）
１６  撮影光学系
１６ａ  レンズ
１６ｂ  絞り
１７  タッチパネル
１８  シャッタ
１８ａ  シャッタ先幕
１８ｂ  シャッタ後幕
１９  シャッタ駆動機構
２０  撮像素子
２０ａ  撮像エリア
２１Ａ  倒立逆像
２１Ｂ  撮影画像
２２  主制御部
２３  バス
２４  メモリ制御部
２５  デジタル信号処理部
２６  メディア制御部
２７  背面表示制御部
２８  照明制御部
２９  無線Ｉ／Ｆ
３０  メモリ
３１  記録メディア
３２  プレ画像取得部
３３  発光タイミング決定部
３４  発光制御情報設定部
３５Ａ，３５Ｂ，３５Ｃ  プレ画像
３６，４１  撮影画像
４５  画像読み出し部
Ａ，Ｂ，Ｃ  照明装置
Ｈ１，Ｈ２，Ｈ３  被写体
Ｈ３ａ  看板
Ｈ３ｂ  柱
Ｈ３ｃ  台座
ＬＡ  光軸
ＬＥ，ＬＳ  ライン
ＰＡ，ＰＢ，ＰＣ  指定位置
Ｓ１  走行前位置
Ｓ２  走行後位置
Ｔ０  走行開始時間
Ｔ１，Ｔ２，Ｔ３  発光タイミング
ＴＡ  シャッタ全開期間
ＴＥ  発光期間
ＴＲ１  読み出し開始期間
ＴＲ２  読み出し終了期間
ＴＳ１  第１走行期間
ＴＳ２  第２走行期間
【図１】
2017130963.tif 000003
【図２】
2017130963.tif 000004
【図３】
2017130963.tif 000005
【図４】
2017130963.tif 000006
【図５】
2017130963.tif 000007
【図６】
2017130963.tif 000008
【図７】
2017130963.tif 000009
【図８】
2017130963.tif 000010
【図９】
2017130963.tif 000011
【図１０】
2017130963.tif 000012
【図１１】
2017130963.tif 000013
【図１２】
2017130963.tif 000014
【図１３】
2017130963.tif 000015
【図１４】
2017130963.tif 000016
【図１５】
2017130963.tif 000017
【図１６】
2017130963.tif 000018
【図１７】
2017130963.tif 000019
【図１８】
2017130963.tif 000020
【図１９】
2017130963.tif 000021
【図２０】
2017130963.tif 000022
【図２１】
2017130963.tif 000023
【図２２】
2017130963.tif 000024
【国際調査報告】
2017130963.tif 000025
2017130963.tif 000026
2017130963.tif 000027
2017130963.tif 000028